(57)【要約】配電網の電気ケーブル上にケーブルデバイスを搭載し、そこから搭載解除するためのシステム、方法、および／またはコンピュータプログラムであって、搭載デバイスは、搭載デバイスを飛行体に取り付けるように配列される、第１の結合部と、ケーブルデバイスを搭載デバイスに取り付けるように配列される、第２の結合部と、ユーザがケーブルデバイスのスロットを電気ケーブルに指向するように飛行体をナビゲートすることを可能にする、および／または飛行体を自動的にナビゲートし、ケーブルデバイスのスロットを電気ケーブルに指向する、および／またはユーザが飛行体をケーブルデバイスにナビゲートすることを可能にする、および／または飛行体をケーブルデバイスに自動的にナビゲートするように動作する、ナビゲーション部とを含む。
2021517089.tif 000002
【特許請求の範囲】
【請求項１】
配電網の電気ケーブル上にケーブルデバイスを搭載すること、および前記電気ケーブルから前記ケーブルデバイスを搭載解除することのうちの少なくとも１つのための搭載デバイスであって、前記搭載デバイスは、
前記搭載デバイスを飛行体に取り付けるように配列される第１の結合部と、
前記ケーブルデバイスを前記搭載デバイスに取り付けるように配列される第２の結合部と、
ナビゲーション部であって、前記ナビゲーション部は、
ユーザが、前記ケーブルデバイスのスロットを前記電気ケーブルに指向するように前記飛行体をナビゲートすることを可能にすることと、
前記飛行体を自動的にナビゲートし、前記ケーブルデバイスのスロットを前記電気ケーブルに指向することと、
ユーザが、前記飛行体を前記ケーブルデバイスにナビゲートすることを可能にすることと、
前記飛行体を前記ケーブルデバイスに自動的にナビゲートすることと
のうちの少なくとも１つを実施するように動作する、ナビゲーション部と
を備える、搭載デバイス。
【請求項２】
前記ナビゲーション部は、
ユーザが、前記ケーブルデバイスのスロットを前記電気ケーブルに整合させるように前記飛行体を制御することを可能にすることと、
前記ケーブルデバイスのスロットを前記電気ケーブルに整合させるように前記飛行体を自動的に制御することと、
ユーザが、前記電気ケーブル上に前記ケーブルデバイスを搭載するように前記飛行体を制御することを可能にすることと、
前記電気ケーブル上に前記ケーブルデバイスを搭載するように前記飛行体を自動的に制御することと、
ユーザが、前記搭載デバイスを前記電気ケーブル上に搭載される前記ケーブルデバイスと整合させるように前記飛行体を制御することを可能にすることと、
前記搭載デバイスを前記電気ケーブル上に搭載される前記ケーブルデバイスと整合させるように前記飛行体を自動的に制御することと
のうちの少なくとも１つを実施するように動作する、請求項１に記載の搭載デバイス。
【請求項３】
前記ナビゲーション部は、
前記電気ケーブルおよび前記ケーブルデバイスのうちの少なくとも１つの光学画像を使用するナビゲーションと、
前記電気ケーブルおよび前記ケーブルデバイスのうちの少なくとも１つによって放射される電場および磁場のうちの少なくとも１つに従ったナビゲーションと
のうちの少なくとも１つを実施するように動作する、請求項１に記載の搭載デバイス。
【請求項４】
ローカル通信デバイスをさらに備え、前記ローカル通信デバイスは、前記飛行体の自動制御を実施するように、前記飛行体ローカル制御システムに通信可能に結合するように動作する、請求項１に記載の搭載デバイス。
【請求項５】
遠隔制御デバイスに通信可能に結合される遠隔通信デバイスをさらに備え、前記遠隔通信デバイスは、
前記搭載デバイスから前記遠隔制御デバイスへのナビゲーションデータと、
前記遠隔制御デバイスから前記搭載デバイスへのナビゲーション制御データと
のうちの少なくとも１つを前記遠隔制御デバイスと通信する、請求項１に記載の搭載デバイス。
【請求項６】
遠隔制御デバイスをさらに備え、前記遠隔制御デバイスは、
ユーザが、前記ケーブルデバイスのスロットを前記電気ケーブルに整合させるように前記飛行体を制御することを可能にすることと、
ユーザが、前記搭載デバイスを前記電気ケーブル上に搭載される前記ケーブルデバイスと整合させるように前記飛行体を制御することを可能にすることと、
ユーザが、前記電気ケーブル上に前記ケーブルデバイスを搭載するように前記飛行体を制御することを可能にすることと、
ユーザが、前記電気ケーブルから前記ケーブルデバイスを搭載解除するように前記飛行体を制御することを可能にすることと、
ユーザが、前記飛行体ローカル制御システムに通信可能に結合される通信デバイスを使用して、前記搭載デバイスを自動動作に切り替え、前記飛行体の自動制御を実施することを可能にすることと
のうちの少なくとも１つをユーザが実施することを可能にするように動作する、請求項１に記載の搭載デバイス。
【請求項７】
前記ケーブルデバイスを前記搭載デバイスに取り付けるように配列される前記第２の結合部は、
機械結合と、
電気機械と
のうちの少なくとも１つを含む、請求項１に記載の搭載デバイス。
【請求項８】
係止アクチュエータ部をさらに備え、前記係止アクチュエータ部は、
前記ケーブルデバイスの係止部に結合することと、
以下、すなわち、
前記電気ケーブルへの前記ケーブルデバイスの係止をアクティブ化することと、
前記電気ケーブルからの前記ケーブルデバイスの係止解除をアクティブ化することと、
前記電気ケーブルへの前記ケーブルデバイスの係止のインジケーションを識別することと、
前記電気ケーブルへの前記ケーブルデバイスの係止解除のインジケーションを識別することと
のうちの少なくとも１つを動作させることと
を行うように動作する、請求項７に記載の搭載デバイス。
【請求項９】
操作デバイスをさらに備え、前記操作デバイスは、
ヨー、ピッチ、およびロール角のうちの少なくとも１つにおいて前記飛行体に対して前記搭載部を操縦することと、
ヨー、ピッチ、およびロール角のうちの少なくとも１つにおいて前記搭載部に対して前記ケーブルデバイスを操縦することと、
ヨー、ピッチ、およびロール角のうちの少なくとも１つにおいて前記電気ケーブルに対して前記ケーブルデバイスを操縦することと、
ヨー、ピッチ、およびロール角のうちの少なくとも１つにおいて前記電気ケーブル上に搭載される前記ケーブルデバイスに対して前記搭載部を操縦することと、
前記飛行体のヨー、ピッチ、およびロール角のうちの少なくとも１つに影響を及ぼすことなく、前記搭載部を操縦することと、
前記飛行体のヨー、ピッチ、およびロール角のうちの少なくとも１つに影響を及ぼすことなく、前記ケーブルデバイスを操縦することと
のうちの少なくとも１つを実施するように配列される、請求項１に記載の搭載デバイス。
【請求項１０】
前記搭載デバイスは、前記ナビゲーション部から受信されるデータに従って、ヨー、ピッチ、およびロール角のうちの前記少なくとも１つを操縦するように動作する、請求項９に記載の搭載デバイス。
【請求項１１】
配電網の電気ケーブル上にケーブルデバイスを搭載するための飛行体であって、前記飛行体は、
搭載部と、
前記ケーブルデバイスを前記搭載部に取り付けるように配列されるセンサ結合部と、
スロットナビゲーション部であって、前記スロットナビゲーション部は、
ユーザが、前記ケーブルデバイスのスロットを前記電気ケーブルに指向するように前記飛行体をナビゲートすることを可能にすることと、
前記飛行体を自動的にナビゲートし、前記ケーブルデバイスのスロットを前記電気ケーブルに指向することと、
ユーザが、前記飛行体を前記ケーブルデバイスにナビゲートすることを可能にすることと、
前記飛行体を前記ケーブルデバイスに自動的にナビゲートすることと
のうちの少なくとも１つを実施するように動作する、スロットナビゲーション部と
を備える、飛行体。
【請求項１２】
ヘリコプタ結合部をさらに備え、前記ヘリコプタ結合部は、前記飛行体を前記搭載部に取り付けるように配列され、前記ヘリコプタ結合部は、前記スロットナビゲーション部から受信されるデータに従って、ヨー、ピッチ、およびロール角のうちの少なくとも１つにおいて前記飛行体に対して前記搭載デバイスを操縦するように配列される、請求項９に記載の飛行体。
【請求項１３】
長距離ナビゲーション部をさらに備え、前記長距離ナビゲーション部は、
ユーザが、前記飛行体をナビゲートし、前記スロットナビゲーション部を前記電気ケーブルに指向することを可能にすることと、
前記飛行体を自動的にナビゲートし、前記スロットナビゲーション部を前記電気ケーブルに指向することと
のうちの少なくとも１つを実施するように動作する、請求項９に記載の飛行体。
【請求項１４】
配電網の電気ケーブル上にケーブルデバイスを搭載するための方法であって、前記方法は、
前記ケーブルデバイスを飛行体に取り付けられた搭載デバイスに取り付けるステップと、
長距離ナビゲーション部を使用して、前記飛行体を前記電気ケーブルに飛行させるステップと、
短距離ナビゲーション部を前記電気ケーブルに指向するステップと、
前記短距離ナビゲーション部を使用して、前記飛行体を前記電気ケーブルに飛行させるステップと、
前記ケーブルデバイスのスロットを前記電気ケーブルと整合させるステップと、
前記電気ケーブル上に前記ケーブルデバイスを搭載するステップであって、前記電気ケーブルは、前記ケーブルデバイスのスロット内に挿入される、ステップと
を含む、方法。
【請求項１５】
配電網の電気ケーブルからケーブルデバイスを搭載解除するための方法であって、前記方法は、
長距離ナビゲーション部を使用して、飛行体を前記電気ケーブルに飛行させるステップと、
前記電気ケーブル上に搭載される前記ケーブルデバイスを識別するステップと、
短距離ナビゲーション部を前記ケーブルデバイスに指向するステップと、
前記短距離ナビゲーション部を使用して、前記飛行体を前記電気ケーブルに飛行させるステップと、
前記飛行体の搭載部を前記ケーブルデバイスに整合させるステップと、
前記電気ケーブルから前記ケーブルデバイスを係止解除するステップと、
前記電気ケーブルから前記ケーブルデバイスを搭載解除するステップと
を含む、方法。
【請求項１６】
前記長距離ナビゲーション部を使用して、前記飛行体を飛行させるステップは、
ユーザが、前記ケーブルデバイスのスロットを前記電気ケーブルに整合させるように前記飛行体を制御することを可能にするステップと、
前記ケーブルデバイスのスロットを前記電気ケーブルに整合させるように前記飛行体を自動的に制御するステップと、
ユーザが、前記電気ケーブル上に前記ケーブルデバイスを搭載するように前記飛行体を制御することを可能にするステップと、
前記電気ケーブル上に前記ケーブルデバイスを搭載するように前記飛行体を自動的に制御するステップと、
ユーザが、前記搭載デバイスを前記電気ケーブル上に搭載される前記ケーブルデバイスと整合させるように前記飛行体を制御することを可能にするステップと、
前記搭載デバイスを前記電気ケーブル上に搭載される前記ケーブルデバイスと整合させるように前記飛行体を自動的に制御するステップと
のうちの少なくとも１つを含む、請求項１４および１５のいずれかに記載の方法。
【請求項１７】
前記長距離ナビゲーション部を使用して、前記飛行体を飛行させるステップは、
前記電気ケーブルおよび前記ケーブルデバイスのうちの少なくとも１つの光学画像を使用して、ナビゲートするステップと、
前記電気ケーブルおよび前記ケーブルデバイスのうちの少なくとも１つによって放射される電場および磁場のうちの少なくとも１つに従って、ナビゲートするステップと
のうちの少なくとも１つを含む、請求項１４および１５のいずれかに記載の方法。
【請求項１８】
前記長距離ナビゲーション部を使用して、前記飛行体を飛行させるステップは、
前記飛行体に取り付けられ、前記飛行体ローカル制御システムに通信可能に結合する搭載部内のローカル通信デバイスを使用し、前記飛行体を自動的に制御するステップ
をさらに含む、請求項１４および１５のいずれかに記載の方法。
【請求項１９】
前記長距離ナビゲーション部を使用して前記飛行体を飛行させるステップ、および前記短距離ナビゲーション部を使用して前記飛行体を飛行させるステップのうちの少なくとも１つは、
遠隔制御デバイスに通信可能に結合される遠隔通信デバイスを使用するステップをさらに含み、前記遠隔通信デバイスは、
前記搭載デバイスから前記遠隔制御デバイスへのナビゲーションデータと、
前記遠隔制御デバイスから前記搭載デバイスへのナビゲーション制御データと
のうちの少なくとも１つを前記遠隔制御デバイスと通信する、請求項１４および１５のいずれかに記載の方法。
【請求項２０】
前記長距離ナビゲーション部を使用して前記飛行体を飛行させるステップ、および前記短距離ナビゲーション部を使用して前記飛行体を飛行させるステップのうちの少なくとも１つは、
遠隔制御デバイスを使用するユーザが、前記ケーブルデバイスのスロットを前記電気ケーブルに整合させるように前記飛行体を制御することを可能にするステップと、
遠隔制御デバイスを使用するユーザが、前記搭載デバイスを前記電気ケーブル上に搭載される前記ケーブルデバイスと整合させるように前記飛行体を制御することを可能にするステップと、
遠隔制御デバイスを使用するユーザが、前記電気ケーブル上に前記ケーブルデバイスを搭載するように前記飛行体を制御することを可能にするステップと、
遠隔制御デバイスを使用するユーザが、前記電気ケーブルから前記ケーブルデバイスを搭載解除するように前記飛行体を制御することを可能にするステップと、
遠隔制御デバイスを使用するユーザが、前記飛行体ローカル制御システムに通信可能に結合される通信デバイスを使用して、前記搭載デバイスを自動動作に切り替え、前記飛行体の自動制御を実施することを可能にするステップと
をさらに含む、請求項１４および１５のいずれかに記載の方法。
【請求項２１】
操作デバイスを提供するステップをさらに含み、前記操作デバイスは、
ヨー、ピッチ、およびロール角のうちの少なくとも１つにおける前記飛行体に対して前記搭載部を操縦することと、
ヨー、ピッチ、およびロール角のうちの少なくとも１つにおける前記搭載部に対して前記ケーブルデバイスを操縦することと、
ヨー、ピッチ、およびロール角のうちの少なくとも１つにおける前記電気ケーブルに対して前記ケーブルデバイスを操縦することと、
ヨー、ピッチ、およびロール角のうちの少なくとも１つにおける前記電気ケーブル上に搭載される前記ケーブルデバイスに対して前記搭載部を操縦することと、
前記飛行体のヨー、ピッチ、およびロール角のうちの少なくとも１つに影響を及ぼすことなく、前記搭載部を操縦することと、
前記飛行体のヨー、ピッチ、およびロール角のうちの少なくとも１つに影響を及ぼすことなく、前記ケーブルデバイスを操縦することと
のうちの少なくとも１つを実施するように配列される、請求項１４および１５のいずれかに記載の方法。
【請求項２２】
前記飛行体に取り付けられた搭載部を提供するステップであって、前記搭載部は、係止アクチュエータ部を備える、ステップと、
前記係止アクチュエータ部を前記ケーブルデバイスの係止部に結合するステップと、
以下、すなわち、
前記電気ケーブルへの前記ケーブルデバイスの係止と、
前記電気ケーブルからの前記ケーブルデバイスの係止解除と、
前記電気ケーブルへの前記ケーブルデバイスの係止のインジケーションを識別するステップと、
前記電気ケーブルへの前記ケーブルデバイスの係止解除のインジケーションを識別するステップと
のうちの少なくとも１つと
をさらに含む、請求項１４および１５のいずれかに記載の方法。
【請求項２３】
前記搭載デバイスを前記飛行体に取り付けるように配列される結合部を備える、搭載部を提供するステップであって、前記搭載部の前記結合部は、機械結合および電気機械結合のうちの少なくとも１つを含む、ステップと、
前記結合部を使用し、ヨー、ピッチ、およびロール角のうちの少なくとも１つにおいて前記飛行体に対して前記搭載部を操縦するステップと
をさらに含む、請求項１４および１５のいずれかに記載の方法。
【発明の詳細な説明】
【技術分野】
【０００１】
本明細書に開示される方法および装置は、配電網の分野に関し、排他的ではないが、より具体的には、送電および配電ネットワークに関し、排他的ではないが、より具体的には、電気ケーブル上に搭載されるセンサを用いて、配電網内の障害を検出することに関し、排他的ではないが、より具体的には、無人飛行体を使用し、電気ケーブル上にセンサまたは任意の他のデバイスを搭載する、またはそこから搭載解除することに関する。
【背景技術】
【０００２】
配電網は、多くの障害を有し得る。グリッドの種々の構成要素が、故障し得、故障は、瞬間的、段階的、または断続的であり得る。いくつかの障害は、湿度、煙、粉塵、風、樹木等の環境によって引き起こされ得る。種々の障害および故障は、異なる特性を有し、異なる方法でネットワークに影響を及ぼし得る。配電網内の障害を特性評価、検出、識別、および位置特定することは、配電網のケーブル上に搭載される種々のタイプのセンサを含む、種々のソリューションを伴う、公知の問題である。航空機に警告するためのデバイス等の電気ケーブル上に搭載される他のデバイスもまた、公知である。特に、電力供給源を妨害することなく、ケーブル上にそのようなデバイスを搭載および搭載解除することは、複雑、危険、面倒、かつ高価である。したがって、上記の限定を欠いていることが極めて有利であろう。
【発明の概要】
【課題を解決するための手段】
【０００３】
本発明の一例示的実施形態によると、配電網の電気ケーブル上にケーブルデバイスを搭載する、および／または電気ケーブルからケーブルデバイスを搭載解除するためのシステム、方法、および／またはコンピュータプログラムが提供され、搭載デバイスは、搭載デバイスを飛行体に取り付けるように配列される、第１の結合部と、ケーブルデバイスを搭載デバイスに取り付けるように配列される、第２の結合部と、ユーザがケーブルデバイスのスロットを電気ケーブルに指向するように飛行体をナビゲートすることを可能にする、および／または飛行体を自動的にナビゲートし、ケーブルデバイスのスロットを電気ケーブルに指向する、および／またはユーザが飛行体をケーブルデバイスにナビゲートすることを可能にする、および／または飛行体をケーブルデバイスに自動的にナビゲートするように動作する、ナビゲーション部とを含む。
【０００４】
本発明の別の例示的実施形態によると、ナビゲーション部は、ユーザが、ケーブルデバイスのスロットを電気ケーブルに整合させるように飛行体を制御することを可能にする、および／またはケーブルデバイスのスロットを電気ケーブルに整合させるように飛行体を自動的に制御する、および／またはユーザが、電気ケーブル上にケーブルデバイスを搭載するように飛行体を制御することを可能にする、および／または電気ケーブル上にケーブルデバイスを搭載するように飛行体を自動的に制御する、および／またはユーザが、搭載デバイスを電気ケーブル上に搭載されるケーブルデバイスと整合させるように飛行体を制御することを可能にする、および／または搭載デバイスを電気ケーブル上に搭載されるケーブルデバイスと整合させるように飛行体を自動的に制御するように動作し得る。
【０００５】
本発明のさらに別の例示的実施形態によると、ナビゲーション部は、１つ以上の電気ケーブルおよびケーブルデバイスの光学画像を使用するナビゲーション、および／または１つ以上の電気ケーブルおよびケーブルデバイスによって放射される１つ以上の電場および磁場に従ったナビゲーションを実施するように動作する。
【０００６】
本発明のなおも別の例示的実施形態によると、搭載デバイスは、さらに、飛行体の自動制御を実施するように、飛行体ローカル制御システムに通信可能に結合するように動作する、ローカル通信デバイスを含んでもよい。
【０００７】
その上、本発明の別の例示的実施形態によると、搭載デバイスは、さらに、遠隔制御デバイスに通信可能に結合される遠隔通信デバイスを含んでもよく、遠隔通信デバイスは、搭載デバイスから遠隔制御デバイスへのナビゲーションデータ、および／または遠隔制御デバイスから搭載デバイスへのナビゲーション制御データを遠隔制御デバイスと通信する。
【０００８】
さらに、本発明の別の例示的実施形態によると、搭載デバイスは、さらに、ユーザが、ケーブルデバイスのスロットを電気ケーブルに整合させるように飛行体を制御する、および／または搭載デバイスを電気ケーブル上に搭載されるケーブルデバイスと整合させるように飛行体を制御する、および／または電気ケーブル上にケーブルデバイスを搭載するように飛行体を制御する、および／または電気ケーブルからケーブルデバイスを搭載解除するように飛行体を制御する、および／または飛行体ローカル制御システムに通信可能に結合される通信デバイスを使用して、搭載デバイスを自動動作に切り替え、飛行体の自動制御を実施することを可能にするように動作する、遠隔制御デバイスを含んでもよい。
【０００９】
なおもさらに、本発明の別の例示的実施形態によると、ケーブルデバイスを搭載デバイスに取り付けるように配列される、第２の結合部は、機械結合および／または電気機械結合を含む。
【００１０】
さらに広げると、本発明の別の例示的実施形態によると、搭載デバイスは、さらに、ケーブルデバイスの係止部に結合する、かつ係止部をアクティブ化し、ケーブルデバイスを電気ケーブルに係止する、および／または電気ケーブルからのケーブルデバイスの係止解除をアクティブ化する、および／または電気ケーブルへのケーブルデバイスの係止のインジケーションを識別する、および／または電気ケーブルへのケーブルデバイスの係止解除のインジケーションを識別するように動作する、係止アクチュエータ部を含んでもよい。
【００１１】
さらに、本発明のさらに別の例示的実施形態によると、搭載デバイスは、さらに、ヨー、ピッチ、およびロール角のうちの少なくとも１つにおいて飛行体に対して搭載部を操縦する、および／またはヨー、ピッチ、およびロール角のうちの少なくとも１つにおいて搭載部に対してケーブルデバイスを操縦する、および／またはヨー、ピッチ、およびロール角のうちの少なくとも１つにおいて電気ケーブルに対してケーブルデバイスを操縦する、および／またはヨー、ピッチ、およびロール角のうちの少なくとも１つにおいて電気ケーブル上に搭載されるケーブルデバイスに対して搭載部を操縦する、および／または飛行体のヨー、ピッチ、およびロール角のうちの少なくとも１つに影響を及ぼすことなく、搭載部を操縦する、および／または飛行体のヨー、ピッチ、およびロール角のうちの少なくとも１つに影響を及ぼすことなく、ケーブルデバイスを操縦するための操作デバイスを含んでもよい。
【００１２】
本発明のなおも別の例示的実施形態によると、搭載デバイスは、ナビゲーション部から受信されるデータに従って、１つ以上のヨー、ピッチ、およびロール角を操縦するように動作する。
【００１３】
さらに、本発明の別の例示的実施形態によると、飛行体が、配電網の電気ケーブル上にケーブルデバイスを搭載するために提供され、飛行体は、搭載部と、ケーブルデバイスを搭載部に取り付けるように配列される、センサ結合部と、ユーザがケーブルデバイスのスロットを電気ケーブルに指向するように飛行体をナビゲートすることを可能にするように、および／または飛行体を自動的にナビゲートし、ケーブルデバイスのスロットを電気ケーブルに指向するように、および／またはユーザが飛行体をケーブルデバイスにナビゲートすることを可能にするように、および／または飛行体をケーブルデバイスに自動的にナビゲートするように動作する、スロットナビゲーション部とを含む。
【００１４】
その上さらに、本発明の別の例示的実施形態によると、飛行体は、さらに、飛行体を搭載部に取り付けるように配列される、ヘリコプタ結合部であって、スロットナビゲーション部から受信されるデータに従って、ヨー、ピッチ、およびロール角のうちの少なくとも１つにおいて飛行体に対して搭載デバイスを操縦するように配列される、ヘリコプタ結合部を備えてもよい。
【００１５】
なおもさらに、本発明の別の例示的実施形態によると、飛行体は、さらに、ユーザが、飛行体をナビゲートし、スロットナビゲーション部を電気ケーブルに指向することを可能にするように、および／または飛行体を自動的にナビゲートし、スロットナビゲーション部を電気ケーブルに指向するように動作する、長距離ナビゲーション部を含んでもよい。
【００１６】
さらに広げると、本発明の別の例示的実施形態によると、配電網の電気ケーブル上のケーブルデバイスの搭載のための方法は、ケーブルデバイスを飛行体に取り付けられた搭載デバイスに取り付けるステップと、長距離ナビゲーション部を使用して、飛行体を電気ケーブルに飛行させるステップと、短距離ナビゲーション部を電気ケーブルに指向するステップと、短距離ナビゲーション部を使用して、飛行体を電気ケーブルに飛行させるステップと、ケーブルデバイスのスロットを電気ケーブルと整合させるステップと、電気ケーブル上にケーブルデバイスを搭載するステップであって、電気ケーブルは、ケーブルデバイスのスロット内に挿入される、ステップとを含んでもよい。
【００１７】
さらに、本発明のさらに別の例示的実施形態によると、配電網の電気ケーブルからケーブルデバイスを搭載解除するための方法は、長距離ナビゲーション部を使用して、飛行体を電気ケーブルに飛行させるステップと、電気ケーブル上に搭載されるケーブルデバイスを識別するステップと、短距離ナビゲーション部をケーブルデバイスに指向するステップと、短距離ナビゲーション部を使用して、飛行体を電気ケーブルに飛行させるステップと、飛行体の搭載部をケーブルデバイスに整合させるステップと、電気ケーブルからケーブルデバイスを係止解除するステップと、電気ケーブルからケーブルデバイスを搭載解除するステップとを含んでもよい。
【００１８】
別様に定義されない限り、本明細書で使用される全ての技術および科学用語は、関連技術分野の当業者によって一般的に理解されるものと同一の意味を有する。本明細書で提供される材料、方法、および実施例は、例証的にすぎず、限定的であることを意図していない。プロセス自体において必要または本質的な程度を除いて、図を含む、本開示に説明される方法およびプロセスのステップまたは段階に対する特定の順序は、意図または含意されない。多くの場合、プロセスステップの順序は、説明される方法の目的または効果を変化させることなく、変動し得る。
【図面の簡単な説明】
【００１９】
本発明の種々の実施形態が、付随する図面を参照して、一例のみとして本明細書に説明される。ここで、具体的に図面を詳細に参照すると、示される詳細は、一例として、本発明の種々の実施形態の例証的議論の目的のためのものにすぎず、実施形態の原理および概念的側面の最も有用であり、容易に理解される説明であると考えられるものを提供するために、提示されることが強調される。この点に関して、主題の基礎的理解のために必要であるよりも詳細に、本発明の実施形態の構図的詳細を示すための試行は、行われず、図面とともに解釈される説明は、いくつかの形態および構造が実践で具現化され得る方法を当業者に明白する。
【００２０】
【図１】図１は、配電網の電気ケーブル上にケーブルデバイスを配設する搭載部を含む、飛行体の簡略化された説明図である。
【図２】図２は、搭載部の正面図の簡略化された説明図である。
【図３】図３は、搭載部の側面図の簡略化された説明図である。
【図４】図４は、搭載部の底面図の簡略化された説明図である。
【図５】図５は、搭載部の斜位図の簡略化された説明図である。
【図６】図６は、典型的には搭載部の本体内に含まれる、計算デバイス１の簡略化された説明図である。
【図７】図７は、電気ケーブル上に搭載されたケーブルデバイスを通した切断の簡略化された説明図である。
【図８Ａ】図８Ａは、開放位置におけるケーブルデバイスのケーブル圧着部の簡略化された説明図である。
【図８Ｂ】図８Ｂは、閉鎖位置におけるケーブルデバイスのケーブル圧着部の簡略化された説明図である。
【図９Ａ】図９Ａは、飛行体および飛行体の下方のケーブルデバイスを搬送する一体搭載部の正面図の簡略化された説明図である。
【図９Ｂ】図９Ｂは、図９Ａに示されるシステムの側面図の簡略化された説明図である。
【図１０】図１０は、飛行体および飛行体の上方のケーブルデバイスを搬送する一体搭載部の正面図の簡略化された説明図である。
【図１１】図１１は、１つ以上の内向き（下向き）視近接（第２の）ナビゲーションデバイスを伴う、飛行体および飛行体の上方のケーブルデバイスを搬送する一体搭載部の正面図の簡略化された説明図である。
【図１２】図１２は、長距離ナビゲーションデバイス、短距離ナビゲーションデバイス、および精密操縦デバイスを伴う、飛行体およびケーブルデバイスを搬送する一体搭載部の側面図の簡略化された説明図である。
【図１３】図１３は、長距離ナビゲーションデバイス、短距離ナビゲーションデバイス、および精密操縦デバイスを装備する、飛行体および取付可能搭載部の側面図の簡略化された説明図である。
【図１４】図１４は、ケーブルデバイスのスロットをケーブルに、または逆も同様に誘導するための漏斗を伴う搭載部を伴う飛行体の正面図の簡略化された説明図である。
【発明を実施するための形態】
【００２１】
本発明は、その実施形態では、無人飛行体を使用して電気ケーブル上にデバイスを搭載する、および／または無人飛行体を使用して電気ケーブル上のデバイスを搭載解除するための方法およびシステムを提供する。本デバイスは、センサ、警告標識、通信ノード等であってもよい。無人飛行体は、ドローン、ヘリコプタ、クワッドコプタ、および／または任意の他の飛行体であってもよい。飛行体は、遠隔で制御される、または自律的であり得る。
【００２２】
本発明のいくつかの例示的実施形態による、電気ケーブル上にデバイスを搭載する、またはそこから搭載解除するための飛行体を使用するためのシステムおよび方法の原理および動作は、続く図面および付随する説明を参照して、より理解され得る。
【００２３】
本発明の少なくとも１つの実施形態を詳細に解説する前に、本発明の実施形態は、その用途において、続く説明に記載される、または図面に図示される構成要素の構造および配列の詳細に限定されないことを理解されたい。本発明の他の実施形態は、種々の方法で実践または実施され得る。また、本明細書に採用される語句および用語は、説明の目的のためであり、限定的と見なされるべきではないことを理解されたい。
【００２４】
本書では、図面の範囲内で説明されず、前の図面に説明された数字で標識される図面の要素は、前の図面内と同一の用途および説明を有する。同様に、テキストによって説明される図面に出現しない数字によってテキスト内で識別される要素は、それが説明された前の図面内と同一の用途および説明を有する。
【００２５】
本書内の図面は、いずれの一定の縮尺通りでもない場合がある。異なる図は、異なる縮尺を使用し得、異なる縮尺、例えば、同一の物体の異なる図のための異なる縮尺、または２つの隣接する物体のための異なる縮尺が、同一の図面内でさえも使用されることができる。
【００２６】
本発明の実施形態の目的は、飛行体を使用し、電気ケーブル上に、任意のデバイス、特に、測定デバイスまたはセンサを配設または搭載することである。測定デバイスは、電気ネットワーク内の複数の場所で種々の電気パラメータを測定し、複数の測定を比較することによって、障害が存在すること、障害のタイプまたは特性、およびその場所を決定し得る。本発明の実施形態の別の目的は、飛行体を使用し、電気ケーブル上の任意のデバイス、特に、測定デバイスまたはセンサを除去または搭載解除することである。
【００２７】
用語「グリッド」または「配電網」は、送電ネットワークおよび／または配電ネットワーク、および１つまたは複数の発電所と負荷または消費者との間のそのようなネットワークの任意の部分を指し得る。用語「ケーブル」または「電気ケーブル」は、位相搬送ケーブル等のグリッドの任意の単一のケーブルまたはワイヤを指し得る。
【００２８】
用語「ケーブルデバイス」は、センサ、測定デバイス、通信デバイス、警告デバイス、マーキングデバイス等を含む、グリッドの電気ケーブル上に搭載される、またはそこから搭載解除されるべき任意のデバイスを指し得る。典型的には、ケーブルデバイスは、電気ケーブルの周囲の電場および／または磁場から電力を導出し得、電場および／または磁場は、電気ケーブル内で流動する電流によって発生され得る。
【００２９】
用語「飛行体」は、飛行またはホバリングすることが可能である任意のタイプのデバイスを指し得、また、ケーブルデバイスを搬送し、電気ケーブル上にそれを搭載する、またはそこからそれを搭載解除することも可能であり得る。特に、飛行体は、ドローン、ヘリコプタ、クワッドコプタ等の任意のタイプの無人飛行体を含んでもよい。飛行体は、（下記に説明されるような飛行の異なる部分において）遠隔で制御される、または自律的である、または両方であり得る。
【００３０】
用語「測定」または「電気測定」は、電圧、電流、電場、磁場、抵抗、静電容量、インダクタンス、電荷等の任意の電気パラメータの任意のタイプの測定を指し得る。用語「物理的測定」または「機械的測定」は、電気パラメータ以外の任意の物理的パラメータの任意のタイプの測定を指し得る。そのようなパラメータは、温度、風、湿度、運動、高さ、（ケーブル）俯角、（ケーブル）角度等であり得る。そのような測定は、典型的には、電気ケーブル上に搭載されるケーブルデバイスによって実施される。
【００３１】
ここで、本発明の一例示的実施形態による、配電網１３の電気ケーブル１２上にケーブルデバイス１１を配設する飛行体１０の簡略化された説明図である、図１が参照される。
【００３２】
図１に示されるように、飛行体１０は、空中推進システムと、搭載部１４とを含んでもよい。空中推進システムは、例えば、１つ以上のプロペラ１５を含んでもよい。プロペラ１５は、例えば、第１のナビゲーションシステムによって制御され得る電気モータを用いて、動作されてもよい。しかしながら、代替として、および／またはさらに、空中推進システムは、１つ以上の内燃エンジンを使用して動作される、および／または１つ以上のジェットエンジン、ターボファンジェットエンジン、ターボ推進ジェットエンジン等を含んでもよい。空中推進システムは、任意の数、典型的には、４つまたは８つのエンジンおよび／またはプロペラを含んでもよい。
【００３３】
搭載部１４は、飛行体１０の一体部品（すなわち、一体搭載部１４）であってもよい。代替として、搭載部１４は、種々のタイプの飛行体１０に取り付けられる、または結合される、または圧着され得る、別個のデバイス（すなわち、取付可能搭載部１４）であってもよい。
【００３４】
取付可能搭載部１４は、飛行体１０全体を設計および生産する必要性を軽減し、既製の飛行体１０の使用を可能にする。さらに、取付可能搭載部１４は、単一の飛行体１０が２つ以上の搭載部１４を搬送することを可能にする。しかしながら、取付可能搭載部１４は、一体搭載部１４が必要としない場合がある、（第１の）結合デバイス１６を要求する。
【００３５】
説明の一般性の目的のために、図１はまた、配電網１３の電気ケーブル１２からケーブルデバイス１１を搭載解除する飛行体１０も示し得ることを理解されたい。故に、飛行体１０および搭載部１４はともに、配電網１３の電気ケーブル１２上にケーブルデバイス１１を搭載するため、および配電網１３の電気ケーブル１２上のケーブルデバイス１１を搭載解除するために動作する。
【００３６】
図１はまた、配電網１３の別のケーブル１２上にすでに搭載されている、数字１７によって指定される別のケーブルデバイス１１も示す。
【００３７】
図１に示されるように、電気ケーブル１２上にケーブルデバイス１１を搭載するステップは、ケーブルをケーブルデバイス１１内の搭載スロット１８の中に挿入するステップを含んでもよい。換言すると、電気ケーブル１２上にケーブルデバイス１１を搭載するステップは、電気ケーブル１２上にケーブルデバイス１１の搭載スロット１８を指向するステップを伴ってもよい。言い換えると、電気ケーブル１２上にケーブルデバイス１１を搭載するステップは、ケーブルデバイス１１のスロット１８が、電気ケーブル１２を取り込むように、飛行体１０（および搭載部１４）を電気ケーブル１２に誘導および／またはナビゲートするステップを伴ってもよい。その後、搭載部１４は、ケーブルデバイス１１内の圧着デバイス（ケーブル圧着部）を動作させ、ケーブルデバイス１１を電気ケーブル１２に固着してもよい。
【００３８】
同様に、電気ケーブル１２からケーブルデバイス１１を搭載解除するステップは、飛行体１０（および搭載部１４）を電気ケーブル１２上に搭載される選択されたケーブルデバイス１１に誘導および／またはナビゲートするステップと、搭載部１４を選択されたケーブルデバイス１１に取り付けるステップと、ケーブルデバイス１１内の圧着デバイス（ケーブル圧着部）を動作させ、電気ケーブル１２からケーブルデバイス１１を取り外すステップと、電気ケーブル１２からケーブルデバイス１１を除去するステップとを含んでもよい。
【００３９】
図１に示されるように、搭載部１４は、以下の部品を含んでもよい。
搭載部１４を飛行体１０に取り付けるように配列される、結合デバイス１６等の第１の結合部。本第１の結合部はまた、ヘリコプタ結合部とも称され得る。
ケーブルデバイス１１を搭載部１４に取り付けるように配列される、アーム１９等の第２の結合部。本第２の結合部はまた、センサ結合部とも称され得る。
【００４０】
以下のうちの少なくとも１つを実施するように動作する、カメラ２０等の少なくとも１つのナビゲーションセンサを含む、ナビゲーション部（また、第２のナビゲーション部、および／または短距離ナビゲーション部、および／またはスロットナビゲーション部とも称され得る）。
スロット１８が電気ケーブル１２と整合されるように、ケーブルデバイス１１のスロット１８を電気ケーブル１２に指向するように飛行体１０をナビゲートすることによって、ユーザが、配電網１３の電気ケーブル１２上にケーブルデバイス１１を搭載することを可能にする。
飛行体１０がケーブルデバイス１１と整合されるように、飛行体１０をケーブルデバイス１１にナビゲートすることによって、ユーザが、配電網１３の電気ケーブル１２からケーブルデバイス１１を搭載解除することを可能にする。
スロット１８が電気ケーブル１２と整合されるように、飛行体を自動的にナビゲートし、ケーブルデバイス１１のスロット１８を電気ケーブル１２に指向する。
飛行体１０がケーブルデバイス１１と整合されるように、飛行体１０をケーブルデバイス１１に自動的にナビゲートする。
【００４１】
ここで、全て本発明の一例示的実施形態による、搭載部１４の正面図の簡略化された説明図である図２、搭載部１４の側面図の簡略化された説明図である図３、搭載部１４の底面図の簡略化された説明図である図４、および搭載部１４の斜位図の簡略化された説明図である図５が、参照される。
【００４２】
選択肢として、図２、３、４、および５の説明図は、前の図の詳細との関連で検討され得る。しかしながら、当然、図５の説明図は、任意の所望の環境との関連で検討され得る。さらに、前述の定義は、下記の説明にも平等に適用され得る。図２、３、４、および５では、搭載部１４は、ケーブルデバイス１１を搬送するように示される。
【００４３】
図２、３、４、および５に示されるように、搭載部１４は、典型的には、他のデバイス、すなわち、本体２１に結合され、ケーブルデバイス１１を取り付けるように配列される、アーム１９等の第２の結合部、カメラ２０等の少なくとも１つのナビゲーションセンサを含む、ナビゲーション部２２、本体２１に結合され、ケーブルデバイス１１内のケーブル圧着部２４を作動させるように動作する、ケーブル取付アクチュエータ部２３の間で動作する、マイクロコントローラ等の計算デバイスを含む、典型的には、電子機器を含む、本体２１を含んでもよい。
【００４４】
ここで、本発明の一例示的実施形態による、典型的には本体２１内に含まれる、計算デバイス２５の簡略化された説明図である、図６が参照される。
【００４５】
選択肢として、図６の説明図は、前の図の詳細との関連で検討され得る。しかしながら、当然、図６の説明図は、任意の所望の環境との関連で検討され得る。さらに、前述の定義は、下記の説明にも平等に適用され得る。
【００４６】
計算デバイス２５は、搭載部１４の処理部の例示的実装として提供される。したがって、計算デバイス２５は、アーム１９、ナビゲーション部２２、およびケーブル取付アクチュエータ部２３等の第２の結合部、および図１−５を参照して示され、説明されるような搭載部１４および／または本体２１に結合される、またはその中に含まれる他のデバイスを動作させるように配列されてもよい。
【００４７】
図６に示されるように、計算デバイス２５は、少なくとも１つのプロセッサユニット２６と、１つ以上のメモリユニット２７（例えば、ランダムアクセスメモリ（ＲＡＭ）、フラッシュメモリ等の不揮発性メモリ等）と、１つ以上の記憶ユニット２８（例えば、ハードディスクドライブ、および／またはフロッピー（登録商標）ディスクドライブ、磁気テープドライブ、コンパクトディスクドライブ、フラッシュメモリデバイス等を表す、リムーバブル記憶ドライブを含む）とを含んでもよい。
【００４８】
計算デバイス２５はまた、以下を含んでもよい。
１つ以上の通信ユニット２９。そのような通信ユニット２９は、任意のタイプの通信技術、特に、ＲＦ通信技術、特に、Ｗｉ−Ｆｉ、Ｂｌｕｅｔｏｏｔｈ（登録商標）、ＺｉｇＢｅｅ、および飛行体１０を遠隔で制御するために使用され得るものと同様の任意の遠隔制御通信技術等の通信技術を使用してもよい。
アーム１９等の第２の結合部を制御するための１つ以上の第２の結合制御回路３０。特に、ケーブルデバイス１１を解放するため、および／またはケーブルデバイス１１と整合されるべき、および／またはケーブルデバイス１１に取り付けるための操縦アーム１９。
随意に、ナビゲーションセンサ３２自体を含む、カメラ２０等のナビゲーションセンサを制御するための１つ以上のナビゲーションセンサ制御回路３１。
ケーブル取付アクチュエータ部２３を制御するための１つ以上のケーブル取付制御回路３３、およびケーブル取付アクチュエータ部２３自体。
上記のユニットを接続する、１つ以上の通信バス３４。
計算デバイス２５はまた、本体２１に結合される、またはその中に含まれる他のデバイスを制御するための１つ以上の制御回路を含んでもよい。
【００４９】
コンピューティングシステム２５はまた、メモリユニット２７および／または記憶ユニット２８のうちのいずれかの中に記憶され得る、１つ以上のコンピュータプログラム３５またはコンピュータ制御論理アルゴリズムを含んでもよい。そのようなコンピュータプログラムは、実行されると、コンピューティングシステム２５が本明細書に記載されるような種々の機能を果たすことを可能にする。メモリユニット２７および／または記憶ユニット２８および／または任意の他の記憶装置は、有形コンピュータ可読媒体の可能性として考えられる実施例である。
【００５０】
特に、コンピュータプログラム３５は、以下のためのソフトウェアプログラムを含んでもよい。
通信ユニット２９を動作させる、および／または制御するステップ。
アーム１９等の第２の結合部、ナビゲーション部２２、カメラ２０等のナビゲーションセンサ３２、ケーブル取付アクチュエータ部２３等の本体２１に結合される、またはその中に含まれる、デバイスを動作させる、および／または制御するステップ。
飛行体１０を動作させるユーザ（オペレータ）と通信するステップ。
飛行体１０を動作させる、および／または制御する、コンピューティングシステムおよび／または１つ以上のコンピュータプログラムと通信するステップ。
ケーブルデバイス１１を動作させる、および／または制御する、コンピューティングシステムおよび／または１つ以上のコンピュータプログラムと通信するステップ。
飛行体１０、および／または搭載部１４、および／またはケーブルデバイス１１をケーブル１２にナビゲートし、ケーブル１２上にケーブルデバイス１１を搭載するステップ。
飛行体１０および／または搭載部１４をケーブル１２上に搭載されるケーブルデバイス１１にナビゲートし、ケーブル１２上のケーブルデバイス１１を搭載解除するステップ。
コンピューティングシステム２５は、図１−５のいずれか１つ以上のケーブルデバイス１１によって行われる測定を分析するため等の任意のソフトウェアプログラムを実行してもよい。
アーム１９等の第２の結合部、ナビゲーション部２２、カメラ２０等のナビゲーションセンサ３２、ケーブル取付アクチュエータ部２３等の本体２１に結合される、またはその中に含まれる、デバイスを動作させる、および／または制御するステップ。
【００５１】
例えば、搭載部１４、および／またはコンピューティングシステム２５、および／またはコンピュータプログラム３５は、以下を実施してもよい。
【００５２】
飛行体１０を動作させるユーザが、飛行体１０を配電網１３の特定の部品等の配電網１３にナビゲートすることを可能にする。
【００５３】
飛行体１０を動作させるユーザが、配電網１３の特定の電気ケーブル１２および／または特定の電気ケーブル１２上に搭載される特定のケーブルデバイス１１を識別することを可能にする。
【００５４】
飛行体１０を動作させるユーザが、ケーブルデバイス１１のスロット１８を特定の電気ケーブル１２と整合させることを可能にする。電気ケーブル１２とのケーブルデバイス１１の係合、およびケーブルデバイス１１を電気ケーブル１２に圧着することを含む、電気ケーブル１２上にケーブルデバイス１１を搭載することを可能にする。本ステップは、動作させているユーザから飛行体１０の制御を引き継ぐ、搭載部１４、および／またはコンピューティングシステム２５、および／またはコンピュータプログラム３５によって、自動的に動作されてもよい。
【００５５】
飛行体１０を動作させるユーザが、飛行体１０、および／または搭載部１４、および／または第２の結合部、および／またはアーム１９を、電気ケーブル１２上に搭載される特定のケーブルデバイス１１と整合させることを可能にする。ケーブルデバイス１１との搭載部１４の係合を可能にする。電気ケーブル１２からのケーブルデバイス１１の圧着解除、および／または搭載解除、および／または除去を可能にする。本ステップもまた、動作させているユーザから飛行体１０の制御を引き継ぐ、搭載部１４、および／またはコンピューティングシステム２５、および／またはコンピュータプログラム３５によって、自動的に動作されてもよい。
【００５６】
ケーブルデバイス１１のスロット１８を電気ケーブル１２と精密に整合させるために、搭載部１４は、例えば、ユーザ／オペレータによって使用され得るものと同様の遠隔制御デバイスを模倣する通信信号を伝送することによって、飛行体１０を直接動作させてもよい。同様の様式で、搭載部１４は、飛行体１０を直接動作させ、アーム１９等の第２の結合部を電気ケーブル１２上に搭載されるケーブルデバイス１１と精密に整合させてもよい。搭載部１４は、通信ユニット２９を介して、遠隔制御デバイスを模倣する通信信号を伝送することによって、飛行体１０を動作させてもよい。
【００５７】
搭載部１４は、飛行体１０のローカル制御システムに通信可能に結合し、飛行体１０を自動的に制御するように動作する、ローカル通信デバイスとしての通信ユニット２９によって、飛行体１０を動作させてもよい。
【００５８】
搭載部１４は、光学画像を使用して、電気ケーブル１２にナビゲートしてもよく、例えば、光学画像は、カメラ２０等の１つ以上の光学センサから供給され、プロセッサユニット２６およびコンピュータプログラム３５によって処理されてもよい。代替として、またはさらに、搭載部１４は、電気ケーブル１２内の電流によって生成される電場および／または磁場を感知する電気センサを使用して、電気ケーブル１２にナビゲートしてもよい。光学ナビゲーションは、電気ケーブル１２が電流を搬送しないときに有用であり、電磁ナビゲーションは、暗闇、過剰な輝度、不利な背景等の光学条件が困難であるときに有用である。他のナビゲーション方法は、ケーブルの熱感知、近接感知等を含んでもよい。
【００５９】
搭載部１４は、光学画像を使用して、ケーブルデバイス１１にナビゲートしてもよく、例えば、光学画像は、カメラ２０等の１つ以上の光学センサから供給され、プロセッサユニット２６およびコンピュータプログラム３５によって処理されてもよい。代替として、またはさらに、搭載部１４は、電気ケーブル１２内の電流によって生成される電場および／または磁場を感知する電気センサを使用して、ケーブルデバイス１１にナビゲートしてもよい。代替として、またはさらに、搭載部１４は、無給電および／または動作不能および／または欠陥ケーブルデバイス１１へのナビゲーションを可能にする、無線周波数識別デバイス（ＲＦＩＤ）によって等、ケーブルデバイス１１によって発せられるＲＦ信号を感知する他のタイプの無線周波数（ＲＦ）センサを使用して、ケーブルデバイス１１にナビゲートしてもよい。
【００６０】
本目的のために、飛行体を使用し、電気ケーブル上にセンサを搭載する、またはそこから搭載解除するためのシステムはまた、ユーザまたはオペレータによって動作される遠隔制御を含む。遠隔制御は、２つの部品、すなわち、飛行体１０を動作させるための第１の遠隔制御部と、例えば、通信ユニット２９を介して、搭載部１４を動作させるための第２の遠隔制御部とを含んでもよい。２つの制御部は、１つの遠隔制御デバイスに統一され得ることを理解されたい。遠隔制御デバイスは、専用デバイスまたはスマートフォン等の汎用デバイスであり得ることを理解されたい。
【００６１】
搭載部１４は、例えば、通信ユニット２９を介して、遠隔制御、排他的ではないが、特に、第２の遠隔制御部にナビゲーションデータを提供し、遠隔制御からナビゲーション制御データを受信してもよい。
【００６２】
ナビゲーションデータは、例えば、１つ以上のカメラ２０から、および／または１つ以上の電磁センサからの画像データ、および／またはケーブルデバイス１１の識別信号、ケーブル取付システムの動作と関連付けられる種々の制御信号等を含んでもよい。
【００６３】
ナビゲーション制御データは、例えば、配電網１３の特定の電気ケーブル１２の選択、選択された電気ケーブル１２上の特定の場所の選択、（例えば、電流の方向に従った）電気ケーブル１２へのケーブルデバイス１１の選択された配向等を含んでもよい。
【００６４】
ナビゲーション制御データはまた、例えば、飛行体１０の制御を引き継ぎ、飛行体１０を直接動作させることによって、上記に説明されるような自動ナビゲーションを実行するための搭載部１４への命令を含んでもよい。
【００６５】
上記に説明されるように、上記に説明されるシステムを動作させる、特に、上記に説明される遠隔制御デバイスを動作させるユーザまたはオペレータは、下記に説明されるように、ケーブル取付アクチュエータ部２３を動作させ、ケーブルデバイス１１を電気ケーブル１２に取り付けるように、または電気ケーブル１２へのケーブルデバイス１１を取り外すように搭載部１４に命令してもよい。
【００６６】
ケーブルデバイス１１に組み込まれるＲＦＩＤは、デバイスの一意の識別を含有してもよく、搭載部１４によって読み取られると、ケーブルから正しいデバイス１１を除去するための肯定的検証のために使用されてもよい。
【００６７】
ここで、本発明の一例示的実施形態による、電気ケーブル１２上に搭載されたケーブルデバイス１１を通した切断の簡略化された説明図である、図７が参照される。
【００６８】
選択肢として、図７のケーブルデバイス１１の説明図は、前の図の詳細との関連で検討され得る。しかしながら、当然、図７のケーブルデバイス１１の説明図は、任意の所望の環境との関連で検討され得る。さらに、前述の定義は、下記の説明にも平等に適用され得る。
【００６９】
図７に示されるように、ケーブルデバイス１１は、それを通して電気ケーブル１２が通過する、ボックスまたは本体３６を含んでもよい。電気ケーブル１２は、電気を公衆、工場等に提供するように電力会社によって維持されるような配電網、送電ネットワーク、または配電ネットワークの一部であってもよい。ケーブルデバイス１１は、したがって、通電ケーブル１２上に搭載されてもよい。すなわち、ケーブル１２が、完全に給電される、および／または電圧および／または電流を搬送するときである。
【００７０】
ボックス３６は、したがって、動作され、次いで、ケーブル１２の周囲で閉鎖され得る、２つの部品で構築される。代替として、ボックス３６は、ケーブル１２を挿入し、ボックスをケーブル１２に取り付けるように、ケーブル直径の大部分を囲繞し、スロット１８等の開口部を一方の側面に有する、１つの部品で構築されてもよい。
【００７１】
図７に示されるように、ケーブルデバイス１１は、電力供給モジュール３７と、コントローラモジュール３８と、１つ以上の電気測定デバイス３９と、１つ以上の物理的測定デバイス４０と、バックホール通信モジュール４１とを含んでもよい。随意に、ケーブルデバイス１１はまた、ローカルエリア通信モジュール４２と、遠隔感知モジュール４３と、推進制御モジュール４４とを含んでもよい。随意に、ケーブルデバイス１１はまた、ケーブル圧着部２４と、ＧＰＳモジュール４５とを含んでもよい。
【００７２】
図７に示されるように、ケーブルデバイス１１は、巻線４７を形成するように少なくとも１つのコイルが包被される、磁心４６を含んでもよい。磁心４６は、電気ケーブル１２の周囲に搭載されてもよい。磁心４６は、２つの部品、すなわち、ボックス３６の２つの部品のそれぞれの中の部品から構築されてもよく、磁心４６の２つの部品は、ボックス３６が電気ケーブル１２に取り付けられるときに、電気ケーブル１２の周囲で閉鎖される。しかしながら、随意に、特に、高電圧ケーブルに関して、磁心４６は、それを通して電気ケーブル１２が挿入され得る、スロットを有するという意味で、開放し得る。
【００７３】
磁心４６は、典型的には、電気ケーブル１２内で流動する電流から磁場を導出する。巻線１２は、典型的には、磁心４６内の磁束から電流を導出する。巻線１２は、典型的には、電圧をケーブルデバイス４６の他のモジュールに提供する、電力供給モジュール３７に電気的に結合されてもよい。ケーブルデバイス１１は、単一の電気ケーブル１２から電力を導出し得ることを理解されたい。
【００７４】
代替として、例えば、絶縁高電圧ケーブル、および／または地下ケーブル、および／または低電圧グリッドと併用されるとき、電力供給モジュール３７は、変圧器の低電圧出力に接続される主要ユニットから電力供給源を導出する、電気ケーブルに取り付けられるセンサに接続されてもよい。ケーブルデバイス１１のそのような構成は、底部に開口部を伴う１つだけの部品を有してもよい。
【００７５】
バックホール通信モジュール４１およびローカルエリア通信モジュール４２は、それぞれ、および／または両方とも、１つ以上のアンテナ４８に結合されてもよい。遠隔感知モジュール１９は、種々のセンサ、１つ以上のカメラ４９、１つ以上のマイクロホン５０等に結合され、それらを制御してもよい。カメラは、３次元回転を提供するアクセルのシステム上に搭載され得ることを理解されたい。代替として、複数の固定カメラ、またはそのアレイが、必要に応じて広い視野を網羅するように搭載されることができる。
【００７６】
バックホール通信モジュール４１およびローカルエリア通信モジュール４２は、限定ではないが、用語「通信技術」または「通信ネットワーク」等の任意のタイプの通信技術および／または通信ネットワークを使用してもよい、または単純に、「ネットワーク」は、限定ではないが、固定（ワイヤ、ケーブル）ネットワーク、無線ネットワーク、および／または衛星ネットワーク、種々のタイプのセルラーネットワークを含む、固定または無線の広域ネットワーク（ＷＡＮ）、Ｗｉ−Ｆｉを含む、固定または無線のローカルエリアネットワーク（ＬＡＮ）、およびＢｌｕｅｔｏｏｔｈ（登録商標）、ＺｉｇＢｅｅ、およびＮＦＣを含む、固定または無線のパーソナルエリアネットワーク（ＰＡＮ）、電力線キャリア（ＰＬＣ）通信技術等を含む、任意のタイプの通信媒体を指す。用語「通信ネットワーク」または「ネットワーク」は、任意の数のネットワーク、およびネットワークおよび／または通信技術の任意の組み合わせを指し得る。
【００７７】
随意に、ケーブルデバイス１１はまた、全地球測位サービス（ＧＰＳ）モジュール４５を含んでもよく、それを使用し、電気ケーブル１２に沿ったケーブルデバイス１１の位置を測定、監視、および／または制御してもよい。ＧＰＳモジュール４５はまた、例えば、測定の絶対時間を正確に決定するための正確なユニバーサルクロックを提供してもよい。
【００７８】
コントローラモジュール１４は、ソフトウェアプログラムおよび関連付けられるデータを記憶するために、および／または実行するために、および外部デバイスと通信するために使用され得るものと同様のプロセッサユニットと、１つ以上のメモリユニット（例えば、ランダムアクセスメモリ（ＲＡＭ）、フラッシュメモリ等の不揮発性メモリ等）と、１つ以上の記憶ユニット（例えば、ハードディスクドライブおよび／またはリムーバブル記憶ドライブ等を含む）とを含んでもよい。コントローラモジュール１４は、図６の計算デバイス２５として設計されてもよい。
【００７９】
推進制御モジュール４４は、１つ以上の車輪５２に結合され得る、電気モータ５１等の１つ以上の作動デバイスに結合されてもよい。車輪５２は、電気モータ５１を制御することによって、推進制御モジュール４４がケーブル１２に沿ってケーブルデバイス１１を移動させることを可能にするように、ケーブル１２上に搭載されてもよい。
【００８０】
ケーブルデバイス１１の推進システム（限定ではないが、推進制御モジュール４４、１つ以上の電気モータ５１、１つ以上の車輪５２等を含む）は、ケーブル１２に沿ってケーブルデバイス１１を移動させるように、および／またはケーブル１２の周囲でケーブルデバイス１１を回転させるように動作し得ることを理解されたい。
【００８１】
電気モータ５１は、本明細書では、限定ではないが、ＡＣモータ、ＤＣモータ、ステッピングモータ、空気圧ポンプおよび／またはモータ、油圧ポンプおよび／またはモータ、または任意の他のタイプのアクチュエータを含む、ケーブル１２に沿って、および／またはその周囲でケーブルデバイス１１を操縦するために適切な任意のタイプの技術を表すことを理解されたい。
【００８２】
ケーブル圧着部２４は、例えば、ケーブルデバイス１１をケーブル１２にしっかりと取り付けるようにケーブル１２に押圧され得る、ケーブルホルダ部５３を含んでもよい。ケーブルホルダ部５３は、電気的手段によって、および／またはねじ山付きロッド５４等の機械的手段によって、（例えば、上および下に）操縦されてもよい。ねじ山付きロッド５４は、電気アクチュエータによって、または図７に示されるように、ケーブル取付アクチュエータ部２３のソケットの中に挿入されるシャフト５５によって、動作されてもよい。代替として、ねじ山付きロッド５４は、ソケット５６の中に挿入されるロッドによって動作されてもよい。
【００８３】
ここで、本発明の一例示的実施形態による、開放位置におけるケーブル圧着部２４の簡略化された説明図である、図８Ａ、および閉鎖位置におけるケーブル圧着部２４の簡略化された説明図である、図８Ｂが、参照される。
【００８４】
選択肢として、図８Ａおよび８Ｂの説明図は、前の図の詳細との関連で検討され得る。しかしながら、当然、図８Ａおよび８Ｂの説明図は、任意の所望の環境との関連で検討され得る。さらに、前述の定義は、下記の説明にも平等に適用され得る。
【００８５】
図８Ａおよび８Ｂに示されるように、例えば、ケーブル１２から離れるようにケーブルホルダ部５３を移動させる（下げる）ことによって、（例えば、反時計回りに）ねじ山付きロッド５４を旋回させ、ケーブル１２からケーブルデバイス１１を解放することはまた、最終的に、ケーブルデバイス１１がケーブル１２から除去され得るように、ケーブルホルダ部５３を旋回させ、スロット１８を通過させる。図８Ａに示されるように、ケーブルホルダ部５３は、完全に開放されると、開口部５７の中に旋回し、そこで、例えば、カメラ２０によって、完全開放として検出されることができる。
【００８６】
ケーブルデバイス１１、特に、ケーブル圧着部２４は、ケーブルデバイス１１が電気ケーブル１２上に正しく搭載されていること、および／またはケーブルホルダ部５３が適切に係止または係止解除されていることを検出および／または検証するための１つ以上のセンサを含んでもよい。そのようなセンサは、図６を参照して示され、説明されるように、それらの測定を搭載部１４のプロセッサユニット２６に報告し得る、ケーブルデバイス１１のコントローラモジュール３８によって動作されてもよい。
【００８７】
搭載部１４のプロセッサユニット２６およびケーブルデバイス１１のコントローラモジュール３８は、例えば、搭載部１４の通信ユニット２９およびケーブルデバイス１１のローカルエリア通信モジュール４２を使用して、通信してもよい。
【００８８】
搭載部１４は、コネクタを介して、または電磁誘導によって、またはレーザ光を使用して、電力をケーブルデバイス１１に提供してもよい。例えば、搭載部１４は、アーム１９内の１つ以上のコネクタを介して、電力をケーブルデバイス１１に提供してもよい。
【００８９】
ここで、本発明の一例示的実施形態による、飛行体１０および飛行体１０の下方のケーブルデバイス１１を搬送する一体搭載部１４の正面図の簡略化された説明図である、図９Ａ、および図９Ａに示されるシステムの側面図の簡略化された説明図である、図９Ｂが、参照される。
【００９０】
選択肢として、図９Ａおよび９Ｂの説明図は、前の図の詳細との関連で検討され得る。しかしながら、当然、図９Ａおよび９Ｂの説明図は、任意の所望の環境との関連で検討され得る。さらに、前述の定義は、下記の説明にも平等に適用され得る。
【００９１】
図９Ａおよび９Ｂに示されるように、飛行体１０および／または搭載部１４内に含まれる第１のナビゲーションデバイス（例えば、ナビゲーション部２２）に加えて、ケーブルデバイス１１内に含まれる第２のナビゲーションデバイス５８が存在する。第２のナビゲーションデバイス５８は、電気ケーブル１２に近接して飛行体１０をナビゲートするために使用されてもよい。図９Ａおよび９Ｂに示される実施例では、近接（第２の）ナビゲーションデバイス５８は、ケーブルデバイス１１をケーブル１２と精密に整合させるための４つのセンサ５９を含む。センサ５９は、画像センサ（例えば、カメラ、超音波等）、熱センサ、電磁センサ等であってもよい。
【００９２】
図９Ａおよび９Ｂに示されるように、ケーブルデバイス１１は、下向きに開放されたそのスロット１８を伴って、飛行体１０の下方に搭載されてもよい。飛行体１０は、次いで、上方から電気ケーブル１２に接近し、下方からスロット１８の中に電気ケーブル１２を挿入してもよい。
【００９３】
ここで、本発明の一例示的実施形態による、飛行体１０および飛行体１０の上方のケーブルデバイス１１を搬送する一体搭載部１４の正面図の簡略化された説明図である、図１０が参照される。
【００９４】
選択肢として、図１０の説明図は、前の図の詳細との関連で検討され得る。しかしながら、当然、図１０の説明図は、任意の所望の環境との関連で検討され得る。さらに、前述の定義は、下記の説明にも平等に適用され得る。
【００９５】
図１０のシステムは、ケーブルデバイス１１が、上向きに開放されたそのスロット１８を伴って、飛行体１０の上方に搭載され得るという点で、図９Ａおよび９Ｂのシステムと異なる。したがって、飛行体１０は、下方から電気ケーブル１２に接近し、次いで、電気ケーブル１２は、したがって、上方からスロット１８の中に挿入されてもよい。本構成は、例えば、電気ケーブル１２と係合されたときに、風が飛行体１０を脇に押しのける場合に、空気力学的に有利であり得る。
【００９６】
ここで、本発明の一例示的実施形態による、１つ以上の内向き（下向き）視近接（第２の）ナビゲーションデバイス５８を伴う、飛行体１０および飛行体１０の上方のケーブルデバイス１１を搬送する一体搭載部１４の正面図の簡略化された説明図である、図１１が参照される。
【００９７】
選択肢として、図１１の説明図は、前の図の詳細との関連で検討され得る。しかしながら、当然、図１１の説明図は、任意の所望の環境との関連で検討され得る。さらに、前述の定義は、下記の説明にも平等に適用され得る。
【００９８】
図１１のシステムは、近接（第２の）ナビゲーションデバイス５８がケーブルデバイス１１の代わりに搭載部１４（および飛行体１０）上に搭載されるという点で、図１０のシステム（および図９Ａおよび９Ｂのシステム）と異なる。図１１に示されるように、近接（第２の）ナビゲーションデバイス５８は、内向きに、および／または下方に、および／またはケーブルデバイス１１のスロット１８の中を向いて、搭載される。
【００９９】
したがって、図１１のシステムは、図１０のシステムの空気力学的性質を有するが、しかしながら、各ケーブルデバイス１１内に近接（第２の）ナビゲーションデバイス５８を含む必要がない。
【０１００】
ケーブルデバイス１１は、上向きに開放されたそのスロット１８を伴って、飛行体１０の上方に搭載されてもよい。したがって、飛行体１０は、下方から電気ケーブル１２に接近し、次いで、電気ケーブル１２は、したがって、下を向いた近接（第２の）ナビゲーションデバイス５８の誘導下で上方からスロット１８の中に挿入されてもよい。
【０１０１】
ここで、本発明の一例示的実施形態による、長距離ナビゲーションデバイス６０および短距離ナビゲーションデバイス６１、および精密操縦デバイス６２を伴う、飛行体１０およびケーブルデバイス１１を搬送する一体搭載部１４の側面図の簡略化された説明図である、図１２が参照される。
【０１０２】
選択肢として、図１２の説明図は、前の図の詳細との関連で検討され得る。しかしながら、当然、図１２の説明図は、任意の所望の環境との関連で検討され得る。さらに、前述の定義は、下記の説明にも平等に適用され得る。
【０１０３】
図１２に示されるように、飛行体１０および一体搭載部１４のシステムはまた、第１の長距離ナビゲーションデバイス６０と、第２の短距離ナビゲーションデバイス６１とを含んでもよい。これら２つのシステムは、それらの独自のセンサを装備してもよい。図１２に示されるように、第１の長距離ナビゲーションデバイス６０は、ケーブルデバイス１１から離れるように外向きに指向されるカメラ６３等の画像センサを含み、第２の短距離ナビゲーションデバイス６１は、ケーブルデバイス１１に向かって、特に、ケーブルデバイス１１のスロット１８に内向きに指向されるカメラ６４等の画像センサを含む。
【０１０４】
第１の長距離ナビゲーションデバイス６０は、ユーザが、遠隔制御を使用して、飛行体１０および一体搭載部１４のシステムを、配電網１３に、次いで、特定の電気ケーブル１２に、次いで、特定の場所または電気ケーブル１２の一部にナビゲートすることを可能にし得る。その後、第２の短距離ナビゲーションデバイス６１は、ユーザが、同一または異なる遠隔制御を使用して、電気ケーブル１２が、ケーブルデバイス１１のスロット１８の中に挿入されるように、飛行体１０、一体搭載部１４、およびケーブルデバイス１１のシステムをナビゲートすることを可能にし得る。
【０１０５】
さらに、および／または随意に、第２の短距離ナビゲーションデバイス６１はまた、第２の結合部（例えば、アーム１９）がケーブルデバイス１１に取り付けられる、ケーブルデバイス１１上の場所に向かって配向される、カメラ６５等のセンサを含んでもよい。
【０１０６】
第１の長距離ナビゲーションデバイス６０は、ユーザが、遠隔制御を使用して、飛行体１０および一体搭載部１４のシステムを、配電網１３に、次いで、特定の電気ケーブル１２に、次いで、電気ケーブル１２上に搭載されたケーブルデバイス１１にナビゲートすることを可能にし得る。その後、第２の短距離ナビゲーションデバイス６１は、ユーザが、同一または異なる遠隔制御を使用して、第２の結合部（例えば、アーム１９）が、ケーブルデバイス１１と適切に整合し、それに取り付けられるように、飛行体１０および一体搭載部１４のシステムをナビゲートすることを可能にし得る。
【０１０７】
第１の長距離ナビゲーションデバイス６０および／または第２の短距離ナビゲーションデバイス６１は、上記に説明されるような任意のタイプまたはタイプの組み合わせのセンサを使用し得ることを理解されたい。
【０１０８】
第１の長距離ナビゲーションデバイス６０および第２の短距離ナビゲーションデバイス６１は、２つのシステムが動作する、重複範囲を有し得、システム間のハンドオーバは、手動または自動的のいずれかで達成され得ることを理解されたい。例えば、重複範囲内で、両方のシステムは、十分な正確度および操縦可能性制御を有する。
【０１０９】
長距離ナビゲーション部を使用して、飛行体１０を飛行させるステップの最後の部分は、短距離ナビゲーション部を（搭載するために）電気ケーブルまたは（搭載解除するために）ケーブルデバイスと係合させるために使用され得ることを理解されたい。
【０１１０】
さらに、および／または随意に、飛行体１０および一体搭載部１４のシステムはまた、典型的には、１つ以上のプロペラ６６等の操縦アクチュエータを含む、精密操縦デバイス６２を含んでもよい。精密操縦デバイス６２は、ユーザが、遠隔制御を使用して、ピッチおよびロール角に最小限の影響を及ぼして、飛行体１０および一体搭載部１４のシステムを（ケーブルデバイス１１を搭載するように）電気ケーブル１２に、および／または（搭載解除するように）ケーブルデバイス１１に精密にナビゲートすることを可能にし得る。
【０１１１】
ここで、本発明の一例示的実施形態による、長距離ナビゲーションデバイス６０、短距離ナビゲーションデバイス６１、および精密操縦デバイス６２を装備する、飛行体１０および取付可能搭載部１４の側面図の簡略化された説明図である、図１３が参照される。
【０１１２】
選択肢として、図１３の説明図は、前の図の詳細との関連で検討され得る。しかしながら、当然、図１３の説明図は、任意の所望の環境との関連で検討され得る。さらに、前述の定義は、下記の説明にも平等に適用され得る。
【０１１３】
図１３による飛行体１０および取り付けられた搭載部１４のシステムは、長距離ナビゲーションデバイス６０、短距離ナビゲーションデバイス６１、および精密操縦デバイス６２が、取り付けられた搭載部１４の一部であり、したがって、結合デバイス１６等の第１の結合部を用いて１つの飛行体１０から別の飛行体に移送され得るという点で、図１２による飛行体１０および一体搭載部１４のシステムと異なる。
【０１１４】
本明細書に説明されるようなケーブルセンサ搭載システムは、典型的には、飛行体１０等の飛行体と、飛行体１０と一体である、または飛行体１０に取り付けられ得る、搭載部１４等の搭載部とを含むことを理解されたい。ケーブルセンサ搭載システムは、２つのナビゲーションシステム、典型的には、長距離ナビゲーションシステムおよび短距離ナビゲーションシステムを有してもよい。
【０１１５】
長距離ナビゲーションシステムは、飛行体１０をグリッド１３に、および特定の電気ケーブル１２（上の場所）にナビゲートするために使用され、短距離ナビゲーションシステムは、デバイス１１を電気ケーブル１２と精密に整合させるために使用される。特に、電気ケーブル１２上にデバイス１１を搭載するとき、短距離ナビゲーションシステムは、スロット１８またはデバイス１１の類似ケーブル取付設備を電気ケーブル１２と精密に整合させるために使用される。同様に、電気ケーブル１２からデバイス１１を搭載解除するとき、短距離ナビゲーションシステムは、飛行体１０および搭載部１４をデバイス１１と精密に整合させるために使用される。
【０１１６】
例えば、長距離ナビゲーションシステムは、飛行体１０のネイティブナビゲーションシステムであってもよく、短距離ナビゲーションシステムは、図１−５、および図９Ａ、９Ｂ、１０、および１１を参照して示され、説明されるように、ナビゲーション部２２およびカメラ２０等の搭載部１４の一部であってもよい。
【０１１７】
代替として、例えば、図１２および１３を参照して示され、説明されるように、搭載部１４は、要素６０および６３等の長距離ナビゲーションシステムと、要素６１および６４等の短距離ナビゲーションシステムとの両方を含んでもよい。
【０１１８】
スロット１８は、典型的には、数ミリメートルだけ電気ケーブル１２よりも幅が広く、したがって、短距離ナビゲーションシステムおよび付随する精密操縦デバイス６２の要求される精度は、わずか数ミリメートルであり、典型的には、スロット１８の幅と電気ケーブル１２の幅との間の差異の半分よりも小さいことを理解されたい。
【０１１９】
短距離ナビゲーションシステムおよび精密操縦デバイスの精度または正確度は、上記に説明されるような場所精度（または正確度）と、典型的には、Ｓｉｎ（０．０１）または０．０１ラジアンよりも良好であるべきである、整合精度（たは正確度）とを含む。
【０１２０】
したがって、例えば、長距離ナビゲーションシステムのセンサ範囲は、長焦点を有してもよく、典型的には、例えば、約１センチメートルの典型的解像度を用いて、少なくとも１０分の１平方メートルの面積を感知する。短距離ナビゲーションシステムのセンサ範囲は、短焦点を有してもよく、典型的には、少なくとも０．１ミリメートルの典型的解像度を用いて、数十平方センチメートル未満の面積を感知する。
【０１２１】
同様に、飛行体１０の長距離操縦システムが、１センチメートル以下の精度（または正確度）、および／または０．１ラジアンより良好ではないヨーおよび／またはピッチおよび／またはロールを有してもよい一方で、短距離操縦システムは、０．１ミリメートルまたはそれよりも良好な精度（または正確度）、および／または少なくとも０．００１ラジアンのヨーおよび／またはピッチおよび／またはロールを有するべきである。
【０１２２】
上記に説明される精度（または正確度）要件は、電気ケーブル１２上にケーブルデバイス１１を搭載すること、および電気ケーブル１２からケーブルデバイス１１を搭載解除することを指し得る。本点において、精度（または正確度）要件は、電気ケーブル１２に対してケーブルデバイス１１を位置付ける、および／または整合させること、またはケーブルデバイス１１に対して搭載部１４を位置付ける、および／または整合させることを指し得る。
【０１２３】
図１に示されるように、電気ケーブル１２は、典型的には、曲線状または凹状であり、したがって、搭載および／または搭載解除の場所において、電気ケーブル１２は、傾斜する、および／または水平または重力のベクトルに対する恣意的ピッチ角にあってもよい。
【０１２４】
ケーブルデバイス１１は、垂直に整合されたスロット１８を伴って電気ケーブル１２上に搭載されるべきである。しかしながら、図１に示されるように、ケーブルデバイス１１は、恣意的ロール角において電気ケーブル１２上に搭載されて見出され得る。
【０１２５】
したがって、精度（または正確度）要件は、搭載および／または搭載解除に関するかどうかにかわらず、および／またはナビゲーションおよび／または操縦に関するかどうかにかわらず、ヨー角、ピッチ角、およびロール角のうちのいずれかを指し得る。
【０１２６】
本点において、例えば、図１３に示されるように、結合デバイス１６は、搭載部１４が飛行体１０に対して恣意的角度においてリアルタイムでそれ自体を操作することを可能にする、継手等の操作デバイス６７を含んでもよい。
【０１２７】
したがって、飛行体１０が、水平に位置付けられてもよい一方で、搭載部１４は、結合デバイス１６および操作デバイス６７を使用して、飛行体１０に対して、（搭載するために）電気ケーブル１２または（搭載解除するために）ケーブルデバイス１１の角度に従ってそれ自体を回転させてもよい。操作デバイス６７は、ヨー、ピッチ、およびロール角のうちのいずれか、またはそれらの組み合わせにおいて、飛行体１０に対して搭載部１４を回転させてもよい。
【０１２８】
代替として、またはさらに、または随意に、特に、搭載部１４が飛行体１０に添着される場合、搭載部１４のヨー、ピッチ、およびロール角のうちのいずれかは、飛行体１０のヨー、ピッチ、およびロール角を操作することによって達成され得る。これは、１つ以上のプロペラ６６を使用する精密操縦デバイス６２によって、および／または傾転プロペラを使用することによって、達成され得る。
【０１２９】
図１３に示されるように、結合デバイス１６は、飛行体１０および搭載部１４および随意のケーブルデバイス１１のシステムの重心および空気力学的性質への飛行体１０および搭載部１４のヨー、ピッチ、およびロール角のうちのいずれかを操作することの影響を最小限にするための２つの操作デバイス６７を含んでもよい。したがって、２つの操作デバイス６７を伴う結合デバイス１６は、飛行体１０が風に応答して傾転することを可能にし得る一方で、搭載部１４は、ケーブル配向（搭載）またはケーブルデバイス１１配向（搭載解除）に従って傾転してもよい。
【０１３０】
１つ以上の操作デバイス６７を伴う結合デバイス１６は、図１１を参照して示され、説明されるように、飛行体１０の上方にケーブルデバイス１１を搬送するように、飛行体１０の上に提供され得ることを理解されたい。
【０１３１】
アーム１９等の第２の結合部はまた、ヨー、ピッチ、および／またはロール角を変化させることによって等、搭載部１４に対するケーブルデバイス１１の操縦可能性等の機能性も提供し得ることを理解されたい。
【０１３２】
ここで、本発明の一例示的実施形態による、漏斗６８を伴う搭載部１４を伴う飛行体１０の正面図の簡略化された説明図である、図１４を参照されたい。
【０１３３】
選択肢として、図１４の説明図は、前の図の詳細との関連で検討され得る。しかしながら、当然、図１４の説明図は、任意の所望の環境との関連で検討され得る。さらに、前述の定義は、下記の説明にも平等に適用され得る。
【０１３４】
図１４に示されるように、搭載部１４のアーム１９は、漏斗６８を形成するように成形される。漏斗６８は、ケーブルデバイス１１を搬送する搭載部１４および／またはケーブルデバイス１１のスロット１８を伴う飛行体１０を電気ケーブル１２に向かって導くように、そのように成形される。搭載部１４は、電気ケーブル１２に向かってスロット１８を導くように、および／または逆も同様に、２つ以上のそのような漏斗６８を配列させ得ることを理解されたい。
【０１３５】
漏斗６８は、ケーブルデバイス１１の一部、または飛行体１０の一部、またはアーム１９以外の搭載部１４の一部であり得ることを理解されたい。図１４で見られるように、アーム１９および漏斗６８はまた、飛行体１０の着陸装置としての役割も果たす。
【０１３６】
上記に示され、説明されるように、飛行体１０および搭載部１４のシステムは、例えば、以下のステップを実施することによって、配電網の電気ケーブル上にケーブルデバイスを搭載することを可能にする。
ケーブルデバイスを飛行体に取り付けられた搭載デバイスに取り付けるステップ。
長距離ナビゲーション部を使用して、飛行体を電気ケーブルに飛行させるステップ。
長距離ナビゲーション部を使用して、短距離ナビゲーション部を電気ケーブルに指向するステップ。
ケーブルデバイスのスロットを電気ケーブルと整合させながら、短距離ナビゲーション部を使用して、飛行体を電気ケーブルに飛行させるステップ。
電気ケーブルが、ケーブルデバイスのスロット内に挿入されるように、電気ケーブル上にケーブルデバイスを搭載するステップ。
【０１３７】
同様に、飛行体１０および搭載部１４のシステムは、例えば、以下のステップを実施することによって、配電網の電気ケーブルからケーブルデバイスを搭載解除することを可能にする。
長距離ナビゲーション部を使用して、飛行体を電気ケーブルに飛行させるステップ。
電気ケーブル上に搭載されるケーブルデバイスを識別するステップ。
長距離ナビゲーション部を使用して、短距離ナビゲーション部をケーブルデバイスに指向するステップ。
飛行体の搭載部をケーブルデバイスに整合させながら、短距離ナビゲーション部を使用して、飛行体を電気ケーブルに飛行させるステップ。
電気ケーブルからケーブルデバイスを係止解除するステップ。
電気ケーブルからケーブルデバイスを搭載解除するステップ。
【０１３８】
明確にするために本発明の別個の実施形態との関連で説明される、ある特徴もまた、単一の実施形態において組み合わせて提供され得ることを理解されたい。逆に、簡潔にするために単一の実施形態との関連で説明される、種々の特徴もまた、別個に、または任意の好適な副次的組み合わせで提供され得る。
【０１３９】
説明が、その発明の具体的実施形態と併せて上記に提供されたが、多くの代替物、修正、および変形例が、当業者に明白であろうことが明確である。故に、添付の請求項の精神および広い範囲内に該当する、全てのそのような代替物、修正、および変形例を包含することが意図される。本明細書に述べられる全ての出版物、特許、および特許出願は、各個々の出版物、特許、または特許出願が、参照することによって本明細書に組み込まれるように具体的かつ個別に示された場合と同一の程度に、参照することによってそれらの全体として本明細書に組み込まれる。さらに、本願内の任意の参考文献の引用または識別は、そのような参考文献が従来技術として利用可能であるという承認として解釈されるものとしない。
【図１】
2021517089.tif 000003
【図２】
2021517089.tif 000004
【図３】
2021517089.tif 000005
【図４】
2021517089.tif 000006
【図５】
2021517089.tif 000007
【図６】
2021517089.tif 000008
【図７】
2021517089.tif 000009
【図８Ａ】
2021517089.tif 000010
【図８Ｂ】
2021517089.tif 000011
【図９Ａ】
2021517089.tif 000012
【図９Ｂ】
2021517089.tif 000013
【図１０】
2021517089.tif 000014
【図１１】
2021517089.tif 000015
【図１２】
2021517089.tif 000016
【図１３】
2021517089.tif 000017
【図１４】
2021517089.tif 000018
【国際調査報告】
2021517089.tif 000019